(57)【要約】  本発明は、無線チャネルを介したデータ送信と関連付けられる制御情報をシグナリングする装置および方法に関するものである。第２の通信装置が、第１の通信装置からデータを受信し（Ｓ２）、該データは、推奨プリコーダの指標と、送信中に使用され得る第１の送信ランクの推奨とを含む。第２の通信装置は、データ送信に使用すべき第２の送信ランクを決定し（Ｓ４）、第１の通信装置に確認メッセージを送信する（Ｓ６）。この確認メッセージは、第２の通信装置からのデータ送信が、このデータ送信の範囲内に入る周波数リソースと関連付けられた各推奨プリコーダの少なくとも一部を使用していることの確認と、使用すべき第２の送信ランクの指標とを含む。
2011501914.tif 000002
【特許請求の範囲】
【請求項１】
第２の通信装置において、無線チャネルを介したデータ送信と関連付けられる制御情報をシグナリングする方法であって、
第１の通信装置から、推奨プリコーダの指標と、送信中に使用され得る第１の送信ランクの推奨とを含むフィードバックデータを受信するステップ（Ｓ２）と、
データ送信に使用すべき第２の送信ランクを決定するステップ（Ｓ４）と、
前記第２の通信装置からの前記データ送信が、前記データ送信の範囲内に入る周波数リソースと関連付けられた各推奨プリコーダの少なくとも一部を使用していることの確認と、前記使用すべき第２の送信ランクの指標とを含む確認メッセージを、前記第１の通信装置に送信するステップ（Ｓ６）と
を含む、方法。
【請求項２】
各推奨プリコーダの前記一部は、前記関連付けられた推奨プリコーダの列のサブセット、または、前記関連付けられた推奨プリコーダに対応する生成行列の列のサブセットに対応する、請求項１に記載の方法。
【請求項３】
前記各列のサブセットは同数の列を有し、列の数は前記第２の送信ランクに対応する、請求項２に記載の方法。
【請求項４】
前記列のサブセットは、前記推奨プリコーダの同じ列から、または前記推奨プリコーダに対応する生成行列の同じ列から選択される、請求項３に記載の方法。
【請求項５】
前記第２の送信ランクの指標は、どのレイヤをどのコードワードに使用すべきかを表す、請求項１〜４のいずれか一項に記載の方法。
【請求項６】
前記確認メッセージはプリコーディング情報の表を指し示すポインタを含む、請求項１〜５のいずれか一項に記載の方法。
【請求項７】
前記プリコーディング情報の表は、前記送信ランクがコードワードのためのレイヤの数を下回らない限り、前記コードワードを他のコードワードと組み合わせて送信するのに使用されるレイヤと同じレイヤ上で前記コードワードを個別に送信させるメッセージを含む、請求項６に記載の方法。
【請求項８】
前記推奨プリコーダの指標は周波数選択性プリコーディング報告に相当する、請求項１〜７のいずれか一項に記載の方法。
【請求項９】
前記推奨プリコーダの指標はプリコーダ行列指標（ＰＭＩ）を報告することに相当し、前記第１の送信ランクの指標はランク指標（ＲＩ）を報告することに相当し、前記第２の送信ランクの指標は送信ランク指標（ＴＲＩ）をシグナリングすることに相当する、請求項１〜８のいずれか一項に記載の方法。
【請求項１０】
推奨プリコーダの指標と、データ送信中に使用され得る第１の送信ランクの推奨とを含むフィードバックデータを、第１の通信装置から受信するよう構成された受信装置（２０３）を備える第２の通信装置（２０）であって、
データ送信に使用すべき第２の送信ランクを決定するように構成された制御ユニット（２０１）と、
前記データ送信が前記データ送信の範囲内に入る周波数リソースと関連付けられた各推奨プリコーダの少なくとも一部を使用していることの確認、および前記使用すべき第２の送信ランクの指標を含む確認メッセージを、前記第１の通信装置に送信するよう構成された送信装置（２０５）と
をさらに備えることを特徴とする、第２の通信装置（２０）。
【請求項１１】
各推奨プリコーダの前記一部は、前記関連付けられた推奨プリコーダの列のサブセット、または、前記関連付けられた推奨プリコーダに対応する生成行列の列のサブセットに対応する、請求項１０に記載の第２の通信装置（２０）。
【請求項１２】
前記各列のサブセットは同数の列を有し、列の数は前記第２の送信ランクに対応する、請求項１１に記載の第２の通信装置（２０）。
【請求項１３】
前記列のサブセットはすべて、前記推奨プリコーダの同じ列から、または前記推奨プリコーダに対応する生成行列の同じ列から選択される、請求項１２に記載の第２の通信装置（２０）。
【請求項１４】
前記第２の送信ランクの指標は、どのレイヤをどのコードワードに使用すべきかを表す、請求項１０〜１３のいずれか一項に記載の第２の通信装置（２０）。
【請求項１５】
前記確認メッセージはプリコーディング情報の表を指し示すポインタを備える、請求項１０〜１４のいずれか一項に記載の第２の通信装置（２０）。
【請求項１６】
前記プリコーディング情報の表は、前記送信ランクがコードワードのためのレイヤの数を下回らない限り、前記コードワードを他のコードワードと組み合わせて送信するのに使用されるレイヤと同じレイヤ上で前記コードワードを個別に送信させるメッセージを含む、請求項１５に記載の第２の通信装置（２０）。
【請求項１７】
前記推奨プリコーダの指標は周波数選択性プリコーディング報告に相当する、請求項１０〜１６のいずれか一項に記載の第２の通信装置（２０）。
【請求項１８】
前記推奨プリコーダの指標はプリコーダ行列指標（ＰＭＩ）を報告することに相当し、第１の送信ランクの指標はランク指標（ＲＩ）を報告することに相当し、第２の送信ランクの指標は送信ランク指標（ＴＲＩ）をシグナリングすることに相当する、請求項１０〜１７のいずれか一項に記載の第２の通信装置（２０）。
【請求項１９】
第１の通信装置において、無線チャネルを介したデータ送信と関連付けられるシグナリングされた制御情報により、前記第１の通信装置を動作モードに設定する方法であって、
推奨プリコーダと、第２の通信装置からデータを送信するときに使用され得る第１の送信ランクとを決定するステップ（Ｒ２）と、
推奨プリコーダの指標と、送信時に使用すべき第１の送信ランクとを含むフィードバックデータを、第２の通信装置に送信するステップ（Ｒ４）と、
前記第２の通信装置から、前記第２の通信装置からのデータ送信が前記データ送信の範囲内に入る周波数リソースと関連付けられた各推奨プリコーダの少なくとも一部を使用していることの確認と、前記使用すべき第２の送信ランクの指標とを含む確認メッセージを受信するステップ（Ｒ６）と、
前記確認されたプリコーダの少なくとも一部と前記第２の送信ランクとを使用して前記第２の通信装置からの前記データ送信を受信し、復号する前記動作モードに、前記第１の通信装置をセットアップするステップ（Ｒ８）と
を含む、方法。
【請求項２０】
各推奨プリコーダの前記一部は、前記推奨プリコーダの列のサブセットまたは前記推奨プリコーダに対応する生成行列の列のサブセットに対応する、請求項１９に記載の方法。
【請求項２１】
前記各列のサブセットは同数の列を有し、列の数は前記第２の送信ランクに対応する、請求項２０に記載の方法。
【請求項２２】
前記列のサブセットは、前記推奨プリコーダの同じ列から、または前記推奨プリコーダに対応する生成行列の同じ列から選択される、請求項２１に記載の方法。
【請求項２３】
前記第２の送信ランクの指標は、どのレイヤをどのコードワードに使用すべきかを表す、請求項１９〜２２のいずれか一項に記載の方法。
【請求項２４】
前記確認メッセージは、プリコーディング情報の表において、プリコーダの確認と前記第２の送信ランクとを指し示すポインタとを含む、請求項１９〜２３のいずれか一項に記載の方法。
【請求項２５】
前記プリコーディング情報の表は、前記送信ランクがコードワードのためのレイヤの数を下回らない限り、前記コードワードを他のコードワードと組み合わせて送信するのに使用されるレイヤと同じレイヤ上で前記コードワードを個別に送信させるメッセージを含む、請求項２４に記載の方法。
【請求項２６】
前記推奨プリコーダの指標は周波数選択性プリコーディング報告に相当する、請求項１９〜２５のいずれか一項に記載の方法。
【請求項２７】
前記推奨プリコーダの指標はプリコーダ行列指標（ＰＭＩ）を報告することに相当し、第１の送信ランクの指標はランク指標（ＲＩ）を報告することに相当し、第２の送信ランクの指標は送信ランク指標（ＴＲＩ）をシグナリングすることに相当する、請求項１９〜２６のいずれか一項に記載の方法。
【請求項２８】
推奨プリコーダと、第２の通信装置がデータを送信するときに使用され得る第１の送信ランクとを決定するように構成された制御ユニット（１０１）と、前記第２の通信装置に、前記推奨プリコーダの指標と、送信中に使用され得る前記第１の送信ランクとを含むフィードバックデータを送信するよう構成された送信装置（１０５）とを備える第１の通信装置（１０）であって、
前記第２の通信装置から、前記第２の通信装置からのデータ送信が、前記データ送信の範囲内に入る周波数リソースと関連付けられた各推奨プリコーダの少なくとも一部を使用していることの確認と、使用される第２の送信ランクの指標とを含む確認メッセージを受信するように構成された受信装置（１０３）をさらに備え、
前記制御ユニット（１０１）はさらに、送信時に確認された前記プリコーダの少なくとも一部と前記第２の送信ランクとを使用して前記第２の通信装置からデータを受信し、復号する動作モードに、前記第１の通信装置をセットアップするように構成されていることを特徴とする、第１の通信装置（１０）。
【請求項２９】
プリコーディング情報の表を備え、前記確認メッセージは、前記表において、プリコーダの確認と前記第２の送信ランクとを指し示すポインタを備え、前記制御ユニット（１０１）は、前記ポインタを読み取って前記第１の通信装置を動作モードにセットアップするように構成されている、請求項２８に記載の第１の通信装置（１０）。
【請求項３０】
各推奨プリコーダの前記一部は、前記推奨プリコーダの列のサブセットまたは前記推奨プリコーダに対応する生成行列の列のサブセットに対応する、請求項２９に記載の第１の通信装置（１０）。
【請求項３１】
前記各列のサブセットは同数の列を有し、列の数は前記第２の送信ランクに対応する、請求項３０に記載の第１の通信装置（１０）。
【請求項３２】
前記列のサブセットは、前記推奨プリコーダの同じ列から、または前記推奨プリコーダに対応する生成行列の同じ列から選択される、請求項３１に記載の第１の通信装置（１０）。
【請求項３３】
前記プリコーディング情報の表は、前記送信ランクがコードワードのためのレイヤの数を下回らない限り、前記コードワードを他のコードワードと組み合わせて送信するのに使用されるレイヤと同じレイヤ上で前記コードワードを個別に送信させるメッセージを含む、請求項２９〜３２のいずれか一項に記載の第１の通信装置（１０）。
【請求項３４】
前記第２の送信ランクの指標は、どのレイヤをどのコードワードに使用すべきかを表す、請求項２８〜３３のいずれか一項に記載の第１の通信装置（１０）。
【請求項３５】
前記推奨プリコーダの指標は周波数選択性プリコーディング報告に相当する、請求項２８〜３４のいずれか一項に記載の第１の通信装置（１０）。
【請求項３６】
前記推奨プリコーダの指標はプリコーダ行列指標（ＰＭＩ）を報告することに相当し、第１の送信ランクの指標はランク指標（ＲＩ）を報告することに相当し、第２の送信ランクの指標は送信ランク指標（ＴＲＩ）をシグナリングすることに相当する、請求項２８〜３５のいずれか一項に記載の第１の通信装置（１０）。
【発明の詳細な説明】
【技術分野】
【０００１】
本発明は、通信システムにおける方法および通信装置に関し、詳細には、通信システムにおいて制御情報をシグナリングする方法および通信装置に関する。
【背景技術】
【０００２】
マルチアンテナの技法は、無線通信システムのデータ転送速度および信頼性を著しく高めることができる。システムの性能は、送信側と受信側の両方が複数のアンテナを備える場合には特に向上する。この複数のアンテナの使用は多入力多出力（ＭＩＭＯ）チャネルをもたらし、このようなシステムおよび／または関連する技法を一般にＭＩＭＯという。
【０００３】
進化型ＵＴＲＡＮ（Ｅ−ＵＴＲＡＮ）は、ＬＴＥとも呼ばれ、現在開発中の一規格である。ＬＴＥの核心となる構成要素は、ＭＩＭＯアンテナ配備およびＭＩＭＯ関連の技法のサポートである。特にダウンリンクでは、チャネル依存プリコーディングを用いた空間多重化モードがサポートされる。空間多重化モードは、好適なチャネル条件において高データ転送速度を目指すものである。このモードでは、情報搬送シンボルベクトルＳｋが、基地局（ＬＴＥにおけるｅＮｏｄｅＢ）側で、ＮＴ×ｒのプリコーダ行列で乗算される。このＮＴ×ｒのプリコーダ行列は次式で表される。
【０００４】
【数１】
2011501914.tif 000003
【０００５】
この行列は、多くの場合、ＮＲ×ＮＴのＭＩＭＯチャネルの特性にマッチするように選択され、ここで、ＮＲとＮＴは、それぞれ、受信アンテナと送信アンテナの数を表す。Ｓｋ中のｒ個のシンボルはそれぞれ１レイヤに対応し、ｒを送信ランクという。ＬＴＥはＯＦＤＭを使用し、したがって、セル間干渉がないものと仮定すると、サブキャリアｋ上のあるリソースエレメント（あるいはデータリソースエレメント番号ｋ）についてユーザ端末（ＵＥ）によって受信されるＮＲ×１ベクトルは、以下の式でモデル化される。式中ｅｋは、ランダムプロセスの実現として得られる雑音ベクトルである。
【０００６】
【数２】
2011501914.tif 000004
【０００７】
ＵＥは、順方向リンクにおけるチャネル測定に基づき、基地局に使用すべき適切なプリコーダの推奨を送信し得る。広い帯域幅をカバーすると想定される単一のプリコーダ（広帯域プリコーディング）がフィードバックされ得る。また、チャネルの周波数の変動にマッチさせ、代わりに、周波数選択性プリコーディング報告（ｆｒｅｑｕｅｎｃｙ−ｓｅｌｅｃｔｉｖｅ  ｐｒｅｃｏｄｉｎｇ  ｒｅｐｏｒｔ）、例えば複数のプリコーダなどを、１サブバンド当たり１つフィードバックすることも有益な場合がある。
【０００８】
高速マルチアンテナ送信の分野において、チャネル条件の最重要特性の１つは、いわゆるチャネルランク（ｃｈａｎｎｅｌ  ｒａｎｋ）である。大まかに言えば、チャネルランクは、１から送信アンテナおよび受信アンテナの最小数まで変化し、チャネルが１送信につき何レイヤをサポートし得るかを決定付けるものである。プリコーディングと併せて、送信をチャネルランクに適合させることは、チャネルランクと同数のレイヤを使用することを伴う。これは、受信側から送信側へのフィードバック情報によって円滑化される。このようなフィードバック情報は、どの（１つまたは複数の）プリコーダを使用すべきかのみならず、送信ランクの推奨（おそらくはプリコーダ情報の一部として暗黙的に）およびレイヤ／コードワード（ｃｏｄｅ  ｗｏｒｄ）の品質評価も含み得る。後者は多くの場合、ＣＱＩ、すなわちチャネル品質指標（Ｃｈａｎｎｅｌ  Ｑｕａｌｉｔｙ  Ｉｎｄｉｃａｔｉｏｎ）と呼ばれ、他方、送信ランクに関連するフィードバック情報は、ランク指標（ＲＩ：ｒａｎｋ  ｉｎｄｉｃａｔｉｏｎ）と呼ばれ、１つまたは複数のプリコーダ行列指標（ｐｒｅｃｏｄｅｒ  ｍａｔｒｉｘ  ｉｎｄｉｃａｔｏｒ）（ＰＭＩ）と併せて、１つまたは複数のプリコーダ行列を明白に指し示すのに使用され得る。
【０００９】
フィードバック情報のペイロードサイズは、周波数選択プリコーディングが使用される場合には特に大きくなり得る。この場合、複数のプリコーダ／ＰＭＩのシグナリングが必要になることがあり、大きなシグナリングオーバーヘッドが生じる場合がある。このような大きなシグナリングオーバーヘッドを（例えばｅＮｏｄｅＢからＵＥまでのダウンリンクにおける）順方向リンクシグナリングについても回避するために、送信側では、受信側が受信側の推奨したものを知っていることを利用し、よって、推奨プリコーダのうちの１つまたは複数を明示的にシグナリングするのではなく、受信側に対して、データ送信が、受信側が推奨したのと同じプリコーダおよび送信ランクを使用することを確認することが可能である。これは、多くの場合、プリコーダ確認／検証と呼ばれ、順方向リンクにおけるデータ送信と関連付けられる制御情報の一部である。
【００１０】
実際には、フィードバック報告は、チャネルおよびフィードバック遅延の時間変動、フィードバックリンクにおけるビット誤り、ならびに受信側がフィードバック情報の計算／選択に使用する特定のパラメータに関する想定と送信側における実際のパラメータ値の間の不一致が原因で、理想とは程遠いものである。このようなパラメータの１つの重要な例がスケジューリング帯域幅である。
【００１１】
ＬＴＥにおいて、ユーザ端末ＵＥは基地局（ＬＴＥにおけるｅＮｏｄｅＢ）に対し、（準統計的にシステム帯域幅より小さくなるように構成されていてもよい）最大可能スケジューリング帯域幅において確認されるチャネル品質を検査することによって得られる単一の推奨ランクを報告する。しかし、ＵＥがスケジューリングするときに使用される実際の帯域幅は、これより著しく小さくなる場合もある。周波数選択チャネルを用いるシナリオでは、これは、スケジュールされる帯域幅上の有効ランクが、ＵＥによって推奨される「平均」送信ランクと全く異なる場合もあるという大きなリスクが生じることを意味する。
【発明の概要】
【発明が解決しようとする課題】
【００１２】
各実施形態の目的は、ユーザ端末と基地局の間のシグナリングを効率よく改善することである。
【課題を解決するための手段】
【００１３】
各実施形態では、第２の通信装置において、無線チャネルを介したデータ送信と関連付けられる制御情報をシグナリングする方法を開示する。第２の通信装置は、第１の通信装置から、推奨プリコーダの指標と、データ送信中に使用され得る第１の送信ランクの推奨とを含むフィードバックデータを受信する。第２の通信装置はさらに、データ送信に使用すべき第２の送信ランクを決定し、第１の通信装置に確認メッセージを送信する。確認メッセージは、第２の通信装置からのデータ送信が、このデータ送信の範囲内に入る周波数リソースと関連付けられた各推奨プリコーダの少なくとも一部を使用していることの確認（ｃｏｎｆｉｒｍａｔｉｏｎ）と、使用すべき第２の送信ランクの指標とを含む。
【００１４】
各実施形態の基本概念は、プリコーダ報告検証が使用されるときに、特に周波数選択プリコーディングと併せて、ランク指定変更のために順方向リンクシグナリングにおいて効率のよいサポートを追加することによって前述の問題を軽減することである。このようなランク指定変更サポートは、例えば、推奨プリコーダ行列のうちのどの列を使用すべきか選択することや、どのレイヤ／コードワードを使用すべきか、および追加または変更されたコードワードをレイヤへマッピングシグナリングする可能性などを含み得る。
【００１５】
加えて、第１の通信装置からフィードバックデータを受信するよう構成された受信装置を備える第２の通信装置も開示される。フィードバックデータは、推奨プリコーダの指標と、データ送信中に使用され得る第１の送信ランクの推奨とを含む。第２の通信装置はさらに、データ送信に使用すべき第２の送信ランクを決定するように構成された制御ユニットと、第１の通信装置に確認メッセージを送信するよう構成された送信装置とを備える。確認メッセージは、データ送信が、このデータ送信の範囲内に入る周波数リソースと関連付けられた各推奨プリコーダの少なくとも一部を使用していることの確認と、使用すべき第２の送信ランクの指標とを含む。
【００１６】
さらに、各実施形態では、第１の通信装置において、第１の通信装置を、無線チャネルを介したデータ送信と関連付けられるシグナリング制御情報による動作モードにセットアップする方法を開示する。
【００１７】
第１の通信装置は、推奨プリコーダと、第２の通信装置からデータを送信するときに使用され得る第１の送信ランクを決定する。推奨プリコーダの指標とデータ送信時に使用すべき第１の送信ランクとを含むフィードバックデータが、第１の通信装置から第２の通信装置に送信される。次いで第１の通信装置は、第２の通信装置から、第２の通信装置からのデータ送信が、このデータ送信の範囲内に入る周波数リソースと関連付けられた各推奨プリコーダの少なくとも一部を使用していることの確認と、使用すべき第２の送信ランクの指標とを含む確認メッセージを受信する。次いで第１の通信装置は、第１の通信装置自体を、確認されたプリコーダの少なくとも一部と第２の送信ランクとを使用して第２の通信装置からのデータ送信を受信し、復号する動作モードでセットアップする。
【００１８】
例えば確認メッセージは、プリコーダ／プリコーダ行列指標（ＰＭＩ）の確認の指標や、第２の機器から第１の機器への関連付けられるデータ送信に使用すべき第２の送信ランクを示す送信ランク指標（ＴＲＩ）を含み得る。
【００１９】
実施形態の中には、推奨プリコーダと、第２の通信装置からデータを送信するときに使用され得る第１の送信ランクとを決定するように構成された制御ユニットを備える第１の通信装置を開示するものもある。第１の通信装置はさらに、第２の通信装置にフィードバックデータを送信するよう構成された送信装置を備える。フィードバックデータは、推奨プリコーダと、送信中に使用され得る第１の送信ランクの指標を備える。第１の通信装置はさらに、第２の通信装置から、確認メッセージを受信するように構成された受信装置を備える。確認メッセージは、第２の通信装置からのデータ送信が、このデータ送信の範囲内に入る周波数リソースと関連付けられた各推奨プリコーダの少なくとも一部を使用していることの確認と、使用される第２の送信ランクの指標とを含む。制御ユニットはさらに、第１の通信装置を、伝送時に、確認された各プリコーダの少なくとも一部と、第２の送信ランクとを使用して第２の通信装置からのデータ送信を受信する動作モードでセットアップするように構成されている。
【発明の効果】
【００２０】
本明細書で開示する各実施形態は、プリコーダ報告検証が使用されるときにランク指定変更のサポートを導入するための効率のよいやり方を提案するものである。ランク指定変更の必要は実際によくあることであり、このため、システムを高性能に保つためには効率のよいサポートが行われることが重要である。
【図面の簡単な説明】
【００２１】
【図１】第２の通信装置と通信する第１の通信装置１０を示す概略図である。
【図２】コードワードからレイヤへのマッピングを示す概略図である。
【図３】コードワードからレイヤへのマッピングを示す概略図である。
【図４】プリコーディング情報を示す表である。
【図５】ＵＥとＮｏｄｅＢの間の信号と方法との組み合わせを示す図である。
【図６】第２の通信装置における方法を示す概略的流れ図である。
【図７】第２の通信装置を示す概略図である。
【図８】第１の通信装置における方法を示す概略的流れ図である。
【図９】第１の通信装置を示す概略図である。
【発明を実施するための形態】
【００２２】
以下に添付図面を参照しながら、本発明の好適な実施の形態について詳細に説明する。しかし本発明は、多くの変形例で用いられてもよく、本明細書に示す実施形態だけに限定されるものと解釈すべきではない。もしろ、これらの実施形態は、本発明の開示を詳細で完全なものにし、当業者に本発明の範囲を十分に伝えるために提示するものである。図面全体を通して類似の番号は類似の要素を指す。
【００２３】
本明細書で使用する用語は、個々の実施形態を説明するためのものにすぎず、本発明を限定するためのものではない。本明細書で使用する場合、単数形の「ａ」、「ａｎ」および「ｔｈｅ」は、文脈からそうでないことが明らかでない限り、複数形も含むものである。さらに、本明細書で使用するとき、「ｃｏｍｐｒｉｓｅ」、「ｃｏｍｐｒｉｓｉｎｇ」という語は、提示される特徴、ステップ、動作、および／または構成要素の存在を指定するものであるが、１つまたは複数の他の特徴、ステップ、動作、および／またはこれらのグループの存在または追加を除外するものではないことも理解されるであろう。
【００２４】
特に定めない限り、本明細書で使用する（科学技術用語を含む）すべての用語は、当業者によって一般に理解されるのと同じ意味を有するものである。さらに、本明細書で使用する用語は、本明細書および関連技術の文脈においてこれらの用語が意味するものと整合的な意味を有すると解釈すべきであり、本明細書で明示的にそのように定義しない限り、理想化された、または過度に型通りの意味に解釈されるものではない。
【００２５】
以下では本発明を、本発明の各実施形態による方法、装置（システム）、および／またはコンピュータプログラム製品のブロック図および／または流れ図を参照して説明する。ブロック図および／または流れ図のいくつかのブロック、ならびにブロック図および／または流れ図における各ブロックの組み合わせはコンピュータプログラム命令によって実施され得ることが理解される。これらのコンピュータプログラム命令は、汎用コンピュータ、専用コンピュータ、および／またはその他のプログラム可能データ処理装置に提供されて、これらの命令が、コンピュータのプロセッサおよび／またはその他のプログラム可能データ処理装置によって実行され、ブロック図および／または流れ図の１つまたは複数のブロックで指定される機能／動作を実施する手段を生じさせるような機械を形成し得る。
【００２６】
またこれらのコンピュータプログラム命令は、コンピュータまたはその他のプログラム可能データ処理装置に特定のやり方で機能するように指示することのできるコンピュータ可読メモリに記憶されて、コンピュータ可読メモリに記憶された命令が、ブロック図および／または流れ図の１つまたは複数のブロックで指定される機能／動作を実施する命令を含む製造品を形成してもよい。
【００２７】
またこれらのコンピュータプログラム命令は、コンピュータまたはその他のプログラム可能装置上で一連の動作ステップを実行させるためにコンピュータまたはその他のプログラム可能データ処理装置上にロードされて、コンピュータまたはその他のプログラム可能装置上で実行されるこれらの命令が、ブロック図および／または流れ図の１つまたは複数のブロックにおいて指定される機能／動作を実施するステップを提供するようなコンピュータで実施されるプロセスを生じさせてもよい。
【００２８】
したがって本発明は、ハードウェアとして、かつ／または（ファームウェア、常駐ソフトウェア、マイクロコードなどを含む）ソフトウェアとして実施され得る。さらに、本発明は、命令実行システムによって、または命令実行システムと接続して使用するための媒体において実施されるコンピュータ使用可能またはコンピュータ可読プログラムコードを有するコンピュータ使用可能またはコンピュータ可読記憶媒体上のコンピュータプログラム製品の形をとり得る。本明細書の文脈において、コンピュータ使用可能またはコンピュータ可読媒体とは、命令実行システム、装置もしくは機器によって、またはこれと接続して使用するためのプログラムを含み、記憶し、伝達し、伝搬し、または搬送することのできる任意の媒体とすることができる。
【００２９】
コンピュータ使用可能またはコンピュータ可読媒体は、それだけに限らないが例えば、電子、磁気、光、電磁、赤外線または半導体のシステム、装置、機器または伝搬媒体などとすることができる。コンピュータ可読媒体のより詳細な例（非網羅的リスト）には、１つまたは複数の配線を有する電気接続、携帯用コンピュータディスケット、ランダム・アクセス・メモリ（ＲＡＭ）、読取り専用メモリ（ＲＯＭ）、消去プログラム可能読取り専用メモリ（ＥＰＲＯＭまたはフラッシュメモリ）、光ファイバ、および携帯用コンパクトディスク読取り専用メモリ（ＣＤ−ＲＯＭ）が含まれるはずである。コンピュータ使用可能またはコンピュータ可読媒体は、プログラムがその上に印刷された紙または別の適切な媒体とすることさえもできることに留意されたい。というのは、プログラムは、例えば、紙またはその他の媒体の光学式走査などによって電子的に取り込み、次いで、必要に応じてコンパイル、解釈または適切なやり方での別の処理を施し、次いでコンピュータメモリに記憶することができるからである。
【００３０】
本明細書で使用する場合、通信装置は無線通信装置とすることができる。本発明の状況において、無線通信装置は、例えば、基地局、コントローラ、これらの組み合わせなどといったネットワークにおけるノード、移動電話、ＰＤＡ（携帯情報端末）、またはラップトップコンピュータといった他の任意の種類の携帯用コンピュータなどとすることができる。
【００３１】
通信装置間の無線ネットワークは、ＩＥＥＥ８０２．１１型のＷＬＡＮ、ＷｉＭＡＸ、ＨｉｐｅｒＬＡＮ、ブルートゥースＬＡＮ、あるいはＧＰＲＳネットワーク、第３世代ＷＣＤＭＡネットワーク、Ｅ−ＵＴＲＡＮといったセルラ移動体通信ネットワークなどの任意のネットワークとすることができる。通信の急速な発展を考えると、当然ながら、本発明が実施され得る将来型の無線通信ネットワークも出現するはずである。
【００３２】
図１に、エアインターフェース３１を介して第２の通信装置と通信する第１の通信装置１０の概略を示す。第１の通信装置は、移動電話、ＰＤＡなどといったＵＥとして示されており、第２の通信装置は、ｅＮｏｄｅＢ、ＮｏｄｅＢなどといった基地局として示されている。しかし、基地局やＵＥといった用語は、非限定的なものと解釈すべきであり、特に、両者の間の特定の階層的関係を示唆するものではないことを理解すべきである。一般には、「基地局」を第１の通信装置１０、「ＵＥ」を第２の通信装置２０とみなすことができるはずであり、これら２つの機器は何らかの無線チャネルを介して相互に通信し合う。
【００３３】
図示の例において、ユーザ端末１０、ＵＥは、順方向リンクにおけるチャネル測定に基づき、基地局２０に使用すべき適切なプリコーダの推奨を送信する。チャネルの周波数変動をマッチさせ、１サブバンドに１つずつ、複数のプリコーダなどの周波数選択性プリコーディング報告をフィードバックすることが有益な場合もある。
【００３４】
前述のようなチャネル依存のプリコーディングは、特に周波数選択プリコーディングでは、通常、十分なシグナリングサポートを必要とする。前述のような逆方向リンクにおけるフィードバックシグナリングが必要とされるのみならず、通常は、順方向リンク送信において実際にはどのプリコーダが使用されたかを示すための順方向リンクのシグナリングも必要とされる。というのは、順方向リンク送信側には、（順方向リンク）受信側から正しいプリコーダ報告を獲得したという確信がない場合もあるからである。
【００３５】
順方向リンクにおけるシグナリングオーバーヘッドを低減する一方法は、ある種のプリコーダ検証／確認、例えば、送信側が受信側によってフィードバックされたのと同じプリコーダを使用したか否かなどをシグナリングするものである。このために１ビットを使用することもできる。すなわち、１の値で送信側がフィードバック情報にそのまま従うことを表し、０の値で、そうではなく別の、おそらくは決まったプリコーダが使用されることを表すこともできる。０の値は、例えば、フィードバック情報が送信側において正しく復号され得なかった場合に使用されるはずである。明らかに、これはすべてフィードバック情報における復号誤りを検出することができるものと想定しており、このため、フィードバック情報は、ＣＲＣ、すなわち巡回冗長検査を含むなど、しかるべく符号化される必要がある。固定プリコーダに代わる方法が、表１に例示するような、単一の「広帯域」プリコーダをシグナリングするものである。複数のプリコーダ報告検証／確認方式の変形形態が使用され得る。順方向リンクにおいて周波数選択性プリコーディング報告を明示的にシグナリングすることと比べて、検証／確認の手法は、順方向リンクにおけるシグナリングオーバーヘッドを著しく低減し得る。以下の表１に、プリコーダ報告検証をサポートする順方向リンクシグナリングの一例を示す。Ｋは順方向リンクにおけるシグナリングされるプリコーダ関連のメッセージ番号を表す。
【００３６】
【表１】
2011501914.tif 000005
【００３７】
同じ情報ビットブロックに由来する符号化ビットをコードワードと呼ぶ。またコードワードは、ＬＴＥにおいて、個々のトランスポートブロックにサービスを提供する単一のＨＡＲＱプロセスからの出力を記述するのにも使用される用語であり、ターボ符号化、レートマッチング、インターリーブなどを含む。次いでコードワードは変調され、各アンテナを介して配信される。複数のコードワードからのデータを一度に送信することも道理にかなっており、これはマルチコードワード（ｍｕｌｔｉ−ｃｏｄｅｗｏｒｄ）送信とも呼ばれる。４送信アンテナシステムにおいて、第１の（変調された）コードワードは、例えば、最初の２つのアンテナにマップされ、第２のコードワードは残りの２つのアンテナにマップされる。前述のプリコーディングの状況では、コードワードは、直接アンテナにではなくレイヤにマップされる。
【００３８】
高速マルチアンテナ伝送の分野において、チャネル条件の最重要特性の１つは、いわゆるチャネルランクである。大まかに言えば、チャネルランクは、１から送信アンテナおよび受信アンテナの最小数まで変動し得る。４×２システム、すなわち４つの送信アンテナと２つの受信アンテナを備えるシステムを例にとると、最大チャネルランクは２である。チャネルランクは、高速フェージングによりチャネル係数が変化するに従って時間的に変動する。さらに、チャネルランクは、何レイヤが、また最終的には何個のコードワードが同時に正常に送信され得るかを決定する。したがって、２つの別々のレイヤにマップする２つのコードワードの送信の瞬間においてチャネルランクが１である場合、これらのコードワードに対応する２つの信号が大きく干渉し合い、どちらのコードワードも受信側において誤って検出される可能性が非常に高くなる。
【００３９】
プリコーディングと併せて、送信をチャネルランクに適合させることは、通常、チャネルランクと同数のレイヤを使用することを伴う。最も単純な事例では、各レイヤは１つの特定のアンテナに対応するはずである。しかし、コードワードの数はＬＴＥの場合のように、レイヤの数と異なる場合もある。その場合、各コードワードを各レイヤにどのようにマップすべきかという問題が生じる。ＬＴＥにおける４送信アンテナの場合についてこの作業仮説を例にとると、コードワードの最大数は２に制限されるが、最大４レイヤまで送信され得る。図２による固定ランク依存のマッピングが使用される。囲みＢ１には、１つのコードワードＣＷが使用され、１つのレイヤＬ１が送信されるランク１が示されている。囲みＢ２には、２つのコードワードＣＷ１、ＣＷ２が使用され、２つのレイヤＬ１、Ｌ２が送信されるランク２が示されている。囲みＢ３には、２つのＣＷ、すなわちＣＷ１、ＣＷ２が使用され、第２のＣＷがシリアル／パラレル変換器Ｓ／Ｐによって２つのレイヤＬ２１、Ｌ２２に分割されて、３つのレイヤＬ１、Ｌ２１、Ｌ２２で送信されるランク３が示されている。囲み４には、各ＣＷ、すなわちＣＷ１、ＣＷ２がＳ／Ｐによってパラレルなレイヤで送信され、４つのレイヤＬ１１、Ｌ１２、Ｌ２１、Ｌ２２で送信されるランク４が示されている。
【００４０】
受信側は、通常、プリコーダ情報のみならず、推奨される送信ランク（おそらくはプリコーダ情報の一部として暗黙的に）およびレイヤ／コードワードの品質評価もフィードバックする。後者は、多くの場合、ＣＱＩと呼ばれる。実際には、フィードバック報告は、チャネルおよびフィードバック遅延の時間変動、フィードバックリンクにおけるビット誤り、ならびに受信側がフィードバック情報の計算／選択に使用する特定のパラメータに関する想定と、送信側における実際のパラメータ値の間の不一致が原因で、理想とは程遠いものである。このようなパラメータの１つの重要な例がスケジューリング帯域幅である。ＵＥが推奨しているのとは別の送信ランクを基地局が使用しようとする別の理由を構成し得るのはトラフィックパターンおよび限られたデータバッファサイズである。これは、ＵＥが推奨したのとは別の送信ランクをｅＮｏｄｅＢが使用することをサポートしない前述のプリコーダ確認機能に関連する問題である。
【００４１】
基地局２０は、周波数におけるランク変動に対する多少のマージンを実現するために、ＵＥによって推奨されたランクを指定変更してもよい。これは、ダウンリンク、すなわち順方向リンクにおいてプリコーダおよびランクを明示的にシグナリングするときに可能となり得る。しかし、プリコーダ報告検証方式では、これまでのところ、ＵＥに対して、基地局がＵＥ推奨に従ったことをシグナリングすることしか考慮されておらず、これはＵＥ推奨のプリコーダに従う必要があることを意味する。
【００４２】
このようなランク指定変更サポートは、例えば、推奨プリコーダ行列のどの列を使用すべきか選択することや、どの（１つまたは複数の）レイヤ／（１つまたは複数の）コードワードを使用すべきか、および追加または変更されたコードワードからレイヤへのマッピングをシグナリングする可能性などを含み得る。後者は、プリコーダ報告確認／検証なしでランク指定変更を行うときでさえも役立つ場合がある。
【００４３】
プリコーダ報告検証が使用されるときにランク指定変更をサポートするために、順方向リンクにおいて、どのランクを使用すべきか、またおそらくは、どのレイヤ、すなわちどの推奨プリコーダの列を使用すべきか指定する追加メッセージがシグナリングされ得る。この原理を以下の例によって説明する。
【００４４】
ＬＴＥにおける使用の可能性を念頭において、プリコーダ報告検証が、複数のプリコーダをシグナリングする可能性と組み合わされるときに注目する。最大２レイヤ、例えば２つのＴｘ基地局または２つのＴｘ順方向リンク送信側などの事例を表２に示す。表２に示すように、各メッセージは、各プリコーダのどの列がＴｘ基地局からの送信に使用されるべきか選択する可能性を与える。一般には、各プリコーダの列のサブセットが指定され得る。メッセージの別の例を表３に示す。この場合、最大４レイヤ、例えば４つのＴｘ基地局または４つのＴｘ順方向リンク送信側などが考えられ、ＬＴＥにある固定されたコードワードのレイヤへのマッピングが考慮に入れられる。
【００４５】
各メッセージは恣意的に、例えば、単にメッセージ番号を示すこと、あるいは各メッセージまたはいくつかのメッセージに別々のビットを割り振ること、あるいはこれらの組み合わせなどによって符号化され得る。さらに、ランク指定変更を行うときには、周波数におけるすべての関連するプリコーダに同じ列番号、すなわちレイヤが選択される。これによりメッセージの数は厳しく制限される。同じ列番号がすべてのプリコーダに使用されない場合には、拡張も可能である。
【００４６】
推奨されるランクがメッセージで示されるランクより低い場合、プリコーダ列を、おそらくは、（ＬＴＥにおける生成行列の列のサブセットである）推奨される行列からではなく、（常に４列を有する）対応する生成行列から取ることができるはずである。
【００４７】
以下の表２に、ランク指定変更をサポートする順方向リンクシグナリングの一例を示す。この例でもやはり、ｋは順方向リンクにおけるシグナリングされるプリコーダ関連のメッセージ番号を表す。
【００４８】
【表２】
2011501914.tif 000006
【００４９】
以下の表３に、前述のようなプリコーダ報告検証および固定されたコードワードのレイヤへのマッピングと併せてランク指定変更をサポートする順方向リンクシグナリングの４Ｔｘの例を示す。
【００５０】
【表３】
2011501914.tif 000007
【００５１】
また、ランク指定変更をさらに一層改善するためにコードワードのレイヤへのマッピングを追加することも可能なはずである。追加すべき特に重要なマッピングは、コードワードのレイヤへのマッピングを可能な限り「完全に」するマッピングである。完全なマッピングの意味するところは大まかに言うと、ある特定のコードワードが接続するレイヤをわずかに変更するだけで、常にランクを下方へ指定変更することが可能なマッピングである。これを達成しようとする１つのやり方は、あるコードワードが、常に、あたかもそのコードワードが他の１つまたは複数のコードワードと併せて送信されるかのように、同じレイヤ上でそのコードワード自体によって送信され得るようなメッセージが生じるようにするものである。図２のコードワードのレイヤへのマッピングを調べると、完全にするためにランクを指定変更しようとするときには、図３のマッピングも有用であることがわかる。
【００５２】
図２に戻って、図２にはコードワードＣＷのレイヤへのマッピングの例が示されている。図示の例では、ランク１が左上囲みＢ１に示されており、ランク２が右上囲みＢ２に示されている。ランク３が左下囲みＢ３に示されており、ランク４が右下囲みＢ４に示されている。
【００５３】
図３には、コードワードＣＷのレイヤへのマッピングの例が示されている。図には、異なるレイヤ構成を使用するランク２とランク３の異なる例が示されている。
【００５４】
囲みＢ１１には、２つのレイヤＬ１１、Ｌ１２を使用するランク２が示されている。囲みＢ１２には、２つのレイヤＬ１２、Ｌ２１を使用するランク２が示されている。囲みＢ１３には、２つのレイヤＬ２１、Ｌ２２を使用するランク２が示されている。
【００５５】
囲みＢ１４には、３つのレイヤＬ１１、Ｌ１２、Ｌ２を使用するランク３が示されている。囲みＢ１５には、３つのレイヤＬ１１、Ｌ２１、Ｌ２２を使用するランク３が示されている。
【００５６】
ＬＴＥの場合と同様に、ＣＱＩが（レイヤごとではなく）コードワードごとに報告される場合には、上記マッピングの一部または全部がランク指定変更に利用できるであろう。例えば、図２のコードワードのレイヤへのマッピングがあるものとし、ランク４を推奨するフィードバック報告が行われるが、基地局はランク２に指定変更しようとする場合を想定する。ＣＱＩはレイヤではなくコードワードに結び付けられているため、基地局はランク２の場合のコードワード１および２のＣＱＩを知らない。しかし、図３の左上のマッピングＢ１１を指定変更に利用できるようにする場合、１つのＣＱＩを２つに分割しなければならいことに起因する余計なリンク適合誤りを引き起こすことなく、ランク指定変更が達成され得る。加えて、ランク指定変更がこの特定のマッピングに対して行われる必要があることを示すメッセージを追加することもできる。
【００５７】
また、ランク４からランク３へのランク指定変更をより適切にサポートするために、ランク指定変更のための追加マッピングおよび対応するメッセージを加えることもできる。簡単な解決法は、コードワード１と２とが、それぞれ、レイヤＬ１１＋Ｌ１２とＬ２１とに接続するマッピングを追加するものであろう。代替的な解決法は、メッセージにおいて、１つまたは複数のコードワードがどのレイヤ（すなわち列）にマップされるべきか指定するものである。これらのメッセージは例えば以下のように指定し得る。
【００５８】
フィードバックからのプリコーダ推奨に基づくレイヤｎ上でのコードワード１を用いたランク１送信。ランク１送信は、各推奨プリコーダ行列の第ｎ列をプリコーダベクトルとして使用することを意味する。
【００５９】
フィードバックからのプリコーダ推奨に基づくレイヤＬ１２上でのコードワード１と、レイヤＬ２１＋Ｌ２２上でのコードワード２とを用いたランク３送信（ランク３送信は、各推奨プリコーダ行列の最後の３列をプリコーダ行列として使用することを意味する）。
【００６０】
図４に、プリコーディング情報を示す概略的な表２を示す。第１列４０では第１のＣＷがイネーブルとされ、第２列４５では、第１と第２のＣＷがイネーブルとされる。各列において、指数にマップされる１ビットフィールド４２、４６は送信ランクを示し、使用される１つまたは複数のプリコーダの確認は、それぞれ列４４、４８に定義されている。
【００６１】
図５には、ユーザ端末１０と基地局ＮｏｄｅＢ２０の間のシグナリングと方法を組み合わせた図の一例が示されている。
【００６２】
ステップＳ１０で、ＮｏｄｅＢ２０は、順方向リンク上で、ＵＥ１０によって受信されるデータをシグナリングする。このデータは、ブロードキャストやユニキャストなどによるものとすることもできる。
【００６３】
ステップＳ２０で、ＵＥ１０は、例えば、順方向リンク上のチャネル測定などを行うことによって受信信号を処理する。次いでＵＥ１０は、チャネル測定などに基づいて、使用すべき推奨プリコーダと使用すべき送信ランクとを決定する。
【００６４】
ステップＳ３０で、ＵＥ１０は、ＮｏｄｅＢ２０へのメッセージにおいて、使用すべき推奨プリコーダと推奨送信ランクとを含む、ＵＥ１０からＮｏｄｅＢ２０へのフィードバック送信を行う。またこのメッセージは、ＣＱＩなどといった品質評価も含み得る。
【００６５】
ステップＳ４０で、ＮｏｄｅＢ２０は、フィードバック送信における推奨のメッセージを受信し、このメッセージを処理して、使用すべき推奨プリコーダと推奨送信ランクとを取り出す。次いでＮｏｄｅＢ２０は、使用すべき実際の第２の送信ランクを決定する決定ステップを行う。これは、セルにおける負荷、使用される周波数帯域、前の伝送のＡＣＫ／ＮＡＣＫ統計、伝搬損などを分析することによって行われ得る。
【００６６】
ステップＳ５０で、次いでＮｏｄｅＢ２０は、推奨プリコーダまたは推奨プリコーダの部分が使用されるという確認と、使用されるべき実際の第２の送信ランクの指標とを含むＵＥ１０への確認メッセージを含む、データ送信と関連付けられる制御情報の送信を行う。この制御情報の送信が必要とされるのは、ＵＥ１０がデータ送信の復号をどのようにして行うべきか理解するためであり、これは、ＵＥ１０に伝達されるべき有用な情報である。
【００６７】
ステップＳ６０で、ＵＥ１０は、制御情報の送信における確認メッセージを受信し、この確認メッセージを使用してＵＥ１０を、確認されたプリコーダまたは確認された推奨プリコーダの部分を使用して、ｅＮｏｄｅＢ２０からのデータを受信し、復号する動作モードにセットアップする。
【００６８】
この方法を導入するために必要とされる追加のシグナリングオーバーヘッドはごく低いものと考えられ、順方向リンクにおいてごく限られた数の追加メッセージが導入されるだけですむ。
【００６９】
図６に、第２の通信装置における、無線チャネルを介したデータ送信と関連付けられる制御情報をシグナリングする場合の概略的流れ図を示す。
【００７０】
ステップＳ２で、まず、第１の通信装置から、推奨プリコーダの指標と、送信中に使用され得る第１の送信ランクとを含むフィードバックデータが受信される。実施形態によっては、推奨プリコーダの指標は周波数選択性プリコーディング報告に相当する。
【００７１】
ステップＳ４で、第２の通信装置は、送信時に使用すべき第２の送信ランクを決定し、第２の通信装置は、実施形態によっては、第１の通信装置が在圏する通信ネットワークにおける負荷を評価するように構成されていてもよく、この評価に基づいて第２の通信装置は、使用すべき第２の送信ランクを決定するように構成されている。
【００７２】
実施形態によっては、第２の送信ランクを決定するステップは、送信に使用される周波数の帯域を考慮に入れることを含んでいてもよい。また、第２の送信ランクを決定するステップは、実施形態によっては、第２の通信装置のセルにおける送信のスケジューリングに基づくものとすることもできる。
【００７３】
ステップＳ６で、第２の通信装置は、第１の通信装置への確認メッセージを含む制御情報の送信を行う。確認メッセージは、第２の通信装置からのデータ送信が、このデータ送信の範囲内に入る周波数リソースと関連付けられた各推奨プリコーダの少なくとも一部を使用していることの確認と、使用すべき第２の送信ランクの指標とを含む。
【００７４】
この確認メッセージは、プリコーディング情報の表において、使用されるプリコーダの確認と決定された使用される第２の送信ランクとを指し示すポインタを含み得ることを理解すべきである。このプリコーディング情報の表は、実施形態によっては、送信ランクがコードワードのためのレイヤの数を下回らない限り、そのコードワードを他のコードワードと組み合わせて送信するのに使用されるレイヤと同じレイヤ上でそのコードワードを個別に送信させるメッセージを含んでいてもよい。
【００７５】
実施形態によっては、各推奨プリコーダの部分は、関連付けられた推奨プリコーダの列のサブセットまたは関連付けられた推奨プリコーダに対応する生成行列の列のサブセットに対応する。実施形態によっては、列のサブセットは同数の列を有し、列の数は第２の送信ランクに対応する。実施形態によっては、列のサブセットは推奨プリコーダの同じ列から、または推奨プリコーダに対応する生成行列の同じ列から選択される。
【００７６】
例えば、第１の事例では、それぞれの列のサブセットは、同数の列、すなわちすべての推奨プリコーダからの列１および列２を有する。しかし、これは使用されるべきあらゆるプリコーダが同じになることを意味するものではなく、第１のサブバンドの推奨プリコーダは、通常、第２のサブバンドの推奨プリコーダとは異なることを理解すべきである。
【００７７】
実施形態によっては、第２の送信ランクの指標は、どのレイヤをどのコードワードに使用すべきかとして表わされる。
【００７８】
実施形態によっては、推奨プリコーダの指標はプリコーダ行列指標ＰＭＩを報告することに相当し、第１の送信ランクの指標はランク指標ＲＩを報告することに相当し、第２の送信ランクの指標は送信ランク指標ＴＲＩをシグナリングすることに相当する。
【００７９】
この方法の各ステップを行うために第２の通信装置を設ける。
【００８０】
図７に、第２の通信装置２０の概略を示す。
【００８１】
第２の通信装置２０は、ｅＮｏｄｅＢ、ＮｏｄｅＢといった基地局として示されている。しかし、基地局やＵＥといった用語は非限定的なものとみなすべきであり、特に、両者の間の特定の階層的関係を示唆するものではないことを理解すべきである。一般には、「基地局」を第１の通信装置１０、「ＵＥ」を第２の通信装置２０とみなすことができるはずであり、これら２つの機器は、何らかの無線チャネルを介して相互に通信し合う。
【００８２】
第２の通信装置２０は、第１の通信装置から、推奨プリコーダの指標と、データ送信中に使用され得る第１の送信ランクの推奨とを含むデータを受信するよう構成された受信装置ＲＸ２０３を備える。実施形態によっては、推奨プリコーダの指標は、周波数選択性プリコーディング報告に相当する。
【００８３】
第２の通信装置２０はさらに、データ送信に使用すべき第２の送信ランクを決定するように構成された制御ユニットＣＰＵ２０１と、第１の通信装置に確認メッセージを送信するよう構成された送信装置ＴＸ２０５とを備える。確認メッセージは、データ送信が、このデータ送信の範囲内に入る周波数リソースと関連付けられた各推奨プリコーダの少なくとも一部を使用していることの確認と、使用すべき第２の送信ランクの指標とを含む。
【００８４】
確認メッセージは、実施形態によっては、プリコーディング情報の表において、確認と、決定された使用される送信ランクとを指し示すポインタを含む。この表は、第２の通信装置２０のメモリユニット２０７に記憶され得る。
【００８５】
このプリコーディング情報の表は、送信ランクがコードワードのためのレイヤの数を下回らない限り、そのコードワードを他のコードワードと組み合わせて送信するのに使用されるレイヤと同じレイヤ上でそのコードワードを個別に送信させるメッセージを含んでいてもよい。
【００８６】
実施形態によっては、各推奨プリコーダの部分は、関連付けられた推奨プリコーダの列のサブセットまたは関連付けられた推奨プリコーダに対応する生成行列の列のサブセットに対応し得る。この列のサブセットは、内蔵／外部メモリユニットである、第２の通信装置のメモリユニット２０７に記憶され得る。各列のサブセットは、実施形態によっては同数の列を有し、列の数は第２の送信ランクに対応する。
【００８７】
加えて、列のサブセットはすべて、推奨プリコーダの同じ列から、または推奨プリコーダに対応する生成行列の同じ列から選択され得る。
【００８８】
実施形態によっては、第２の送信ランクの指標は、どのレイヤをどのコードワードに使用すべきかとして表わされ得る。
【００８９】
制御ユニット２０１はさらに、第２の送信ランクを、第１の通信装置が在圏する通信ネットワークにおける負荷、送信に使用される周波数の帯域、および／または第２の通信装置のセル内での送信のスケジューリングに基づいて決定するように構成され得る。制御ユニット２０１は、ネットワークにおける負荷を評価するように構成されていてもよい。
【００９０】
実施形態によっては、推奨プリコーダの指標はプリコーダ行列指標（ＰＭＩ）を報告することに相当し、第１の送信ランクの指標はランク指標（ＲＩ）を報告することに相当し、第２の送信ランクの指標は送信ランク指標（ＴＲＩ）をシグナリングすることに相当する。
【００９１】
図示の例において、第２の通信装置２０はさらに、ネットワークなどに接続するためのインターフェース２０９を備えていてもよい。
【００９２】
制御ユニット２０１は、実施形態によっては、中央処理装置、マイクロプロセッサ、複数のプロセッサなどとすることができる。メモリユニット２０７は、単一のユニット、複数のメモリユニット、内蔵および／または外部メモリとすることができる。
【００９３】
図８に、第１の通信装置において、第１の通信装置を、無線チャネルを介したデータ送信と関連付けられるシグナリング制御情報による動作モードに設定する方法の概略的流れ図を示す。
【００９４】
ステップＲ２で、第１の通信装置は、プリコーダと、おそらくは第２の通信装置からのデータ送信時に使用すべき第１の送信ランクとを決定する。この決定は、例えば、第２の通信装置から第１の通信装置までの順方向リンクにおけるチャネル測定などのチャネル品質に基づくものとすることができる。
【００９５】
ステップＲ４で、第１の通信装置は、決定されたプリコーダを推奨する指標と、使用すべき第１の送信ランクとを含むフィードバックデータを第２の通信装置に送信する。実施形態によっては、推奨プリコーダの指標は、周波数選択性プリコーディング報告に相当する。
【００９６】
ステップＲ６で、第１の通信装置は、ブロードキャストチャネル、ユニキャストチャネルなどといった無線チャネル上で、第２の通信装置から確認メッセージを含む制御シグナリングを受信する。この確認メッセージは、第２の通信装置からのデータ送信が、このデータ送信の範囲内に入る周波数リソースと関連付けられた各推奨プリコーダの少なくとも一部を使用していることの確認と、使用される第２の送信ランクの指標とを含む。
【００９７】
この確認メッセージはさらに、プリコーディング情報の表において、プリコーダの確認と第２の送信ランクとを指し示すポインタを含んでいてもよい。このプリコーディング情報の表は、実施形態によっては、送信ランクがコードワードのためのレイヤの数を下回らない限り、そのコードワードを他のコードワードと組み合わせて送信するのに使用されるレイヤと同じレイヤ上でそのコードワードを個別に送信させるメッセージを含んでいてもよい。第１の通信装置は、ポインタを読み込んで、プリコーダと第２の送信ランクとを決定する。
【００９８】
実施形態によっては、各推奨プリコーダの部分は、推奨プリコーダの列のサブセットまたは推奨プリコーダに対応する生成行列の列のサブセットに対応する。実施形態によっては、各列のサブセットは同数の列を有し、列の数は第２の送信ランクに対応する。実施形態によっては、列のサブセットは、推奨プリコーダの同じ列から、または推奨プリコーダに対応する生成行列の同じ列から選択される。
【００９９】
実施形態によっては、第２の送信ランクの指標は、どのレイヤをどのコードワードに使用すべきかとして表わされる。
【０１００】
実施形態によっては、推奨プリコーダの指標はプリコーダ行列指標ＰＭＩを報告することに相当し、第１の送信ランクの指標はランク指標ＲＩを報告することに相当し、第２の送信ランクの指標は送信ランク指標ＴＲＩをシグナリングすることに相当する。
【０１０１】
ステップＲ８で、第１の通信装置は、これ自体を動作モードでセットアップする。この動作モードは、第２の送信ランクと、確認された各推奨プリコーダの少なくとも一部を使用して、第２の通信装置からのデータ送信を受信し、復号する。
【０１０２】
この方法の各ステップを行うために第１の通信装置を設ける。
【０１０３】
図９に、第１の通信装置１０の概略を示す。
【０１０４】
第１の通信装置は、移動電話、ＰＤＡといったＵＥとして示されている。しかし、基地局やＵＥといった用語は非限定的なものとみなすべきであり、特に、両者の間の特定の階層的関係を示唆するものではないことを理解すべきである。一般には、「基地局」を第１の通信装置１０、「ＵＥ」を第２の通信装置２０とみなすことができるはずであり、これら２つの機器は何らかの無線チャネルを介して相互に通信し合う。
【０１０５】
第１の通信装置は、推奨プリコーダと、第２の通信装置がデータを送信するときに使用され得る第１の送信ランクとを決定するように構成された、マイクロプロセッサなどの制御ユニット１０１を備える。この決定は、第２の通信装置からのチャネル上の受信データの１つまたは複数のチャネル測定に基づくものとすることができる。
【０１０６】
第１の通信装置１０はさらに、第２の通信装置にフィードバックデータを送信するように構成された送信装置１０５を備える。フィードバックデータは、推奨プリコーダの指標と、送信中に使用され得る第１の送信ランクとを含む。第１の通信装置１０はさらに、第２の通信装置から、第２の通信装置からのデータ送信が、このデータ送信の範囲内に入る周波数リソースと関連付けられた各推奨プリコーダの少なくとも一部を使用していることの確認と、使用される第２の送信ランクの指標とを含む確認メッセージを受信するように構成された受信装置１０３を備える。制御ユニット１０１はさらに、第１の通信装置を、確認された各推奨プリコーダの少なくとも一部と第２の送信ランクとを使用して第２の通信装置からのデータを受信し、復号する動作モードでセットアップするように構成されている。
【０１０７】
制御ユニット１０１は、実施形態によってはさらに、順方向リンク上でチャネル測定を行い、チャネル測定に基づいて推奨プリコーダと第１の送信ランクとを決定するように構成されていてもよい。
【０１０８】
実施形態によっては、第１の通信装置１０はさらに、プリコーディング情報の表を備えていてもよく、確認メッセージはこの表においてプリコーダの確認と第２の送信ランクとを指し示すポインタを含み、制御ユニット１０１は、ポインタを読み取って第１の通信装置をその動作モードにセットアップするように構成される。この表は、メモリユニット１０７上に記憶されてもよく、メモリユニットは、単一のユニット、複数のユニットを備えていても、外部および／または内蔵メモリを備えていてもよい。
【０１０９】
プリコーディング情報の表は、送信ランクがコードワードのためのレイヤの数を下回らない限り、そのコードワードを他のコードワードと組み合わせて送信するのに使用されるレイヤと同じレイヤ上でそのコードワードを個別に送信させるメッセージを含んでいてもよい。
【０１１０】
実施形態によっては、各推奨プリコーダの部分は、推奨プリコーダの列のサブセットまたは推奨プリコーダに対応する生成行列の列のサブセットに対応する。実施形態によっては、各列のサブセットは同数の列を有し、列の数は第２の送信ランクに対応する。実施形態によっては、列のサブセットは、推奨プリコーダの同じ列から、または推奨プリコーダに対応する生成行列の同じ列から選択される。
【０１１１】
実施形態によっては、第２の送信ランクの指標は、どのレイヤをどのコードワードに使用すべきかとして表わされる。
【０１１２】
実施形態によっては、推奨プリコーダの指標はプリコーダ行列指標ＰＭＩを報告することに相当し、第１の送信ランクの指標はランク指標ＲＩを報告することに相当し、第２の送信ランクの指標は送信ランク指標ＴＲＩをシグナリングすることに相当する。
【０１１３】
本発明を例示する記述においては、第３世代パートナーシッププロジェクト（３ＧＰＰ）におけるＬＴＥの標準化からの用語が使用されているが、これは本発明の範囲を前述のシステムだけに限定するものとみなすべきではない。ＷＣＤＭＡ、ＷｉＭＡＸ、ＵＭＢおよびＧＳＭを含む他の無線システムも、本開示内に含まれる思想を利用することにより利益を得ることができる。
【０１１４】
図面および明細書においては、本発明の例示的実施形態が開示されている。しかし、これらの実施形態には、本発明の原理を実質的に逸脱することなく多くの変形および改変が行われ得る。したがって、特定の用語が用いられているが、これらの用語は、限定のためではなく、一般的な記述として使用されているにすぎず、本発明の範囲は、添付の特許請求の範囲によって定義されるものである。
【図１】
2011501914.tif 000008
【図２】
2011501914.tif 000009
【図３】
2011501914.tif 000010
【図４】
2011501914.tif 000011
【図５】
2011501914.tif 000012
【図６】
2011501914.tif 000013
【図７】
2011501914.tif 000014
【図８】
2011501914.tif 000015
【図９】
2011501914.tif 000016
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
第２の通信装置において、無線チャネルを介したデータ送信と関連付けられる制御情報をシグナリングする方法であって、
第１の通信装置から、推奨プリコーダの指標と、送信中に使用され得る第１の送信ランクの推奨とを含むフィードバックデータを受信するステップ（Ｓ２）と、
データ送信に使用すべき第２の送信ランクを決定するステップ（Ｓ４）と、
確認メッセージを前記第１の通信装置に送信するステップ（Ｓ６）と
を含み、
前記確認メッセージは、前記第２の通信装置からの前記データ送信が、使用される周波数上で各推奨プリコーダの少なくとも一部を使用していることの確認と、使用すべき前記第２の送信ランクの指標とを含み、
各推奨プリコーダの前記一部は、前記推奨プリコーダの列のサブセットに対応し、
前記指標は、前記第２の送信ランクをサポートするために前記推奨プリコーダの列のサブセットのどの列またはいくつの列を使用すべきかを表すことを特徴とする、方法。
【請求項２】
前記各列のサブセットは同数の列を有し、列の数は前記第２の送信ランクに対応する、請求項１に記載の方法。
【請求項３】
前記列のサブセットは、前記推奨プリコーダの同じ列から、または前記推奨プリコーダに対応する生成行列の同じ列から選択される、請求項２に記載の方法。
【請求項４】
前記第２の送信ランクの指標は、どのレイヤをどのコードワードに使用すべきかを表す、請求項１〜３のいずれか一項に記載の方法。
【請求項５】
前記確認メッセージはプリコーディング情報の表を示すポインタを備える、請求項１〜４に記載の方法。
【請求項６】
前記プリコーディング情報の表は、前記送信ランクがコードワードのためのレイヤの数を下回らない限り、前記コードワードを他のコードワードと組み合わせて送信するのに使用されるレイヤと同じレイヤ上で前記コードワードを個別に送信させるメッセージを含む、請求項５に記載の方法。
【請求項７】
前記推奨プリコーダの指標は周波数選択性プリコーディング報告に相当する、請求項１〜６のいずれか一項に記載の方法。
【請求項８】
前記推奨プリコーダの指標はプリコーダ行列指標（ＰＭＩ）を報告することに相当し、第１の送信ランクの指標はランク指標（ＲＩ）を報告することに相当し、第２の送信ランクの指標は送信ランク指標（ＴＲＩ）をシグナリングすることに相当する、請求項１〜７のいずれか一項に記載の方法。
【請求項９】
推奨プリコーダの指標と、データ送信時に使用され得る第１の送信ランクの推奨とを含むフィードバックデータを、第１の通信装置から受信するよう構成された受信装置（２０３）と、データ送信に使用すべき第２の送信ランクを決定するように構成された制御ユニット（２０１）と、
確認メッセージを前記第１の通信装置に送信するよう構成された送信装置（２０５）と
を備え、
前記確認メッセージは、前記第２の通信装置からの前記データ送信が、使用される周波数上で各推奨プリコーダの少なくとも一部を使用していることの確認と、前記第２の送信ランクの指標とを含み、
前記各推奨プリコーダの前記一部は、前記推奨プリコーダの列のサブセットに対応し、
前記指標は、前記第２の送信ランクをサポートするために前記推奨プリコーダの列のサブセットのどの列またはいくつの列を使用すべきかを表すことを特徴とする、第２の通信装置（２０）。
【請求項１０】
第１の通信装置において、無線チャネルを介したデータ送信と関連付けられるシグナリングされた制御情報により、前記第１の通信装置を動作モードに設定する方法であって、
推奨プリコーダと、第２の通信装置からデータを送信するときに使用され得る第１の送信ランクとを決定するステップ（Ｒ２）と、
推奨プリコーダの指標と、送信時に使用すべき第１の送信ランクとを含むフィードバックデータを、第２の通信装置に送信するステップ（Ｒ４）と
前記第２の通信装置から確認メッセージを受信するステップ（Ｒ６）と、
前記第１の通信装置をセットアップするステップ（Ｒ８）と
を含み、
前記確認メッセージは、前記第２の通信装置からのデータ送信が、使用される周波数上で各推奨プリコーダの少なくとも一部を使用していることの確認と、データ送信に使用すべき第２の送信ランクの指標とを含み、
各推奨プリコーダの前記一部は、前記推奨プリコーダの列のサブセットに対応し、
前記指標は、前記第２の送信ランクをサポートするために前記推奨プリコーダの列のサブセットのどの列またはいくつの列を使用すべきかを表し、
前記ステップ（Ｒ８）では、前記確認されたプリコーダの少なくとも一部と前記第２の送信ランクとを使用して前記第２の通信装置からの前記データ送信を受信及び復号する前記動作モードに、前記第１の通信装置をセットアップすることを特徴とする、方法。
【請求項１１】
前記各列のサブセットは同数の列を有し、列の数は前記第２の送信ランクに対応する、請求項１０に記載の方法。
【請求項１２】
前記列のサブセットは、前記推奨プリコーダの同じ列から、または前記推奨プリコーダに対応する生成行列の同じ列から選択される、請求項１１に記載の方法。
【請求項１３】
前記第２の送信ランクの指標は、どのレイヤをどのコードワードに使用すべきかを表す、請求項１０〜１２のいずれか一項に記載の方法。
【請求項１４】
前記確認メッセージはプリコーディング情報の表を示すポインタを備える、請求項１０〜１３のいずれか一項に記載の方法。
【請求項１５】
前記プリコーディング情報の表は、前記送信ランクがコードワードのためのレイヤの数を下回らない限り、前記コードワードを他のコードワードと組み合わせて送信するのに使用されるレイヤと同じレイヤ上で前記コードワードを個別に送信させるメッセージを含む、請求１４に記載の方法。
【請求項１６】
前記推奨プリコーダの指標は周波数選択性プリコーディング報告に相当する、請求項１０〜１５のいずれか一項に記載の方法。
【請求項１７】
前記推奨プリコーダの指標はプリコーダ行列指標（ＰＭＩ）を報告することに相当し、第１の送信ランクの指標はランク指標（ＲＩ）を報告することに相当し、第２の送信ランクの指標は送信ランク指標（ＴＲＩ）をシグナリングすることに相当する、請求項１０〜１６のいずれか一項に記載の方法。
【請求項１８】
推奨プリコーダと、第２の通信装置がデータを送信するときに使用され得る第１の送信ランクとを決定するように構成された制御ユニット（１０１）と、
前記推奨プリコーダの指標と、送信中に使用され得る前記第１の送信ランクとを含むフィードバックデータを、第２の通信装置に送信するよう構成された送信装置（１０５）と、
前記第２の通信装置から確認メッセージを受信するように構成された受信装置（１０３）と、
を備え、
前記確認メッセージは、前記第２の通信装置からのデータ送信が、使用される周波数上で各推奨プリコーダの少なくとも一部を使用していることの確認と、データ送信に使用すべき第２の送信ランクの指標とを含み、
各推奨プリコーダの前記一部は、前記推奨プリコーダの列のサブセットに対応し、
前記指標は、前記第２の送信ランクをサポートするために前記推奨プリコーダの列のサブセットのどの列またはいくつの列を使用すべきかを表し、
前記制御ユニット（１０１）は、前記確認されたプリコーダの少なくとも一部と前記第２の送信ランクとを使用して前記第２の通信装置からの前記データ送信を受信及び復号する前記動作モードに、前記第１の通信装置をセットアップするように構成されたことを特徴とする、第１の通信装置（１０）。
【国際調査報告】
2011501914.tif 000017
2011501914.tif 000018
2011501914.tif 000019